Podtech/llm-jp-corpus-v4-ja_patent huggingface dataset:
【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
透光性を有する装飾部材と、
前記装飾部材の背面側に配設された照射手段とを備えた遊技機であって、
前記照射手段の発光態様を制御する制御手段を設け、前記制御手段が前記照射手段をデューティ制御するとともに、当該デューティ制御に際しての単位時間あたりのオン時間を、前記単位時間を経る毎に変化させることで、前記照射手段の輝度を経時変化させ、
前記照射手段を複数設けるとともに、前記制御手段による前記各照射手段のデューティ制御の内容を異ならせることで、各照射手段毎に異なった発光態様を導出させることを特徴とする遊技機。
【請求項２】
透光性を有する装飾部材と、
前記装飾部材の背面側に配設された複数の照射手段と、
前記照射手段の発光態様を制御する制御手段とを備えた遊技機であって、
前記制御手段は、前記各照射手段をデューティ制御するとともに、当該デューティ制御に際しての単位時間あたりのオン時間を、前記単位時間を経る毎に変化させることで、前記照射手段の輝度を経時変化させ、かつ、
各照射手段間での制御タイミングをずらすことで、前記装飾部材のうち輝度の最も大きな部位を経時的に変化させることを特徴とする遊技機。
【請求項３】
透光性を有する装飾部材と、
前記装飾部材の背面側に配設された照射手段と、
前記照射手段の発光態様を制御する制御手段とを備えた遊技機であって、
前記制御手段は、前記照射手段をデューティ制御するものであって、
単位時間あたりのオン時間をそれぞれ異ならせることで決められる複数段階の輝度レベルに関し、前記照射手段の輝度が経時的にかつ連続的に低下させられ、その後経時的にかつ連続的に高められることが繰り返し行われるよう、前記輝度レベルの順序が予め設定されており、
前記デューティ制御に際しては、前記順序に従って前記照射手段の輝度を経時変化させることを特徴とする遊技機。
【請求項４】
透光性を有する装飾部材と、
前記装飾部材の背面側に配設された複数の照射手段と、
前記各照射手段の発光態様を制御する制御手段とを備えた遊技機であって、
前記制御手段は、前記各照射手段をデューティ制御するものであって、
単位時間あたりのオン時間をそれぞれ異ならせることで決められる複数段階の輝度レベルに関し、前記照射手段の輝度が経時的にかつ連続的に低下させられ、その後経時的にかつ連続的に高められることが繰り返し行われるよう、前記輝度レベルの順序が予め設定されており、
前記デューティ制御に際しては、前記順序に従って前記各照射手段の輝度を経時変化させ、かつ、前記各照射手段のデューティ制御の内容を異ならせることで、各照射手段毎に異なった発光態様を導出させることを特徴とする遊技機。
【請求項５】
前記装飾部材の肉厚を部位に応じて相違させ、当該肉厚の相違により、同一輝度レベルでの照射条件下においても、前記装飾部材の部位によって発光態様が相違するようにしたことを特徴とする請求項１乃至４のいずれかに記載の遊技機。
【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
絵柄画像を表示する表示手段を備えた遊技機において、
一連の絵柄画像からなる各絵柄画像をそれぞれ記憶する画像記憶手段と、
割り込み処理間隔ごとに前記各絵柄画像を前記表示手段に逐次に出力する出力手段と、
前記割り込み処理間隔を別の割り込み処理間隔に切り換える割り込み処理間隔切換手段と
を備え、
前記絵柄画像は、遊技状態に応じてその遊技状態を識別させるための複数個の識別図柄、または補助図柄であるとともに、前記補助図柄は、判別の対象となる判別用補助図柄、または動作させる動作用補助図柄であって、かつ、前記遊技機は、前記識別図柄または判別用補助図柄を判別する図柄判別手段と、前記図柄判別手段から識別図柄または判別用補助図柄を判別することに基づいて、前記動作用補助図柄を動作させる補助図柄動作手段とを備えることを特徴とする遊技機。
【請求項２】
請求項１に記載の遊技機において、
少なくとも２種類の遊技状態のいずれかを発生させる遊技状態発生手段を備え、前記遊技状態発生手段は、大当たり状態を予感させる大当たり予告、遊技者にとって不利な通常状態、および遊技者にとって有利な特別遊技状態を発生させ、前記大当たり予告が前記表示手段に表示される所定時間前、もしくは前記通常状態または特別遊技状態が前記表示手段に表示されて確定される所定時間前に、前記割り込み処理間隔が次第に長くなるように、前記割り込み処理間隔切換手段は割り込み処理間隔を切り換え、切り換えられた割り込み処理間隔ごとに、前記識別図柄または判別用補助図柄、および前記動作用補助図柄を前記表示手段に逐次に出力することを特徴とする遊技機。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
被検体の置かれる空間に均一な静磁場を発生する静磁場発生手段と、前記静磁場発生手段の均一度を調整する磁場調整手段と、前記空間に被検体を搬入・搬出する搬送手段とを備えた磁気共鳴イメージング装置の磁場の均一度を調整する方法であって、
前記搬送手段を磁気共鳴イメージング装置による検査時と同じ位置に設定するステップ、前記搬送手段を設定後、前記空間の磁場均一度を測定するステップ、測定した磁場均一度に基づき前記調整手段による調整量を求めるステップ、及び前記調整量に基づき前記調整手段を機能させるステップを含む磁気共鳴イメージング装置の磁場均一度調整方法。
【請求項２】
被検体の置かれる空間に均一な静磁場を発生する静磁場発生手段と、前記静磁場発生手段の均一度を調整する磁場調整手段と、前記空間内に配置され、前記空間に高周波磁場及び傾斜磁場をそれぞれ発生する磁場発生コイルと、前記空間に被検体を搬入・搬出する搬送手段とを備えた磁気共鳴イメージング装置の磁場の均一度を調整する方法であって、
前記空間に前記磁場発生コイルを配置する前に前記搬送手段を磁気共鳴イメージング装置による検査時と同じ位置に設定するステップ、前記搬送手段を設定後、前記空間の磁場均一度を測定するステップ、測定した磁場均一度が所定の均一度以上のときに前記磁場発生コイルを前記空間内に配置するステップ、前記磁場発生コイルを配置した後に前記空間の磁場均一度を測定するステップ、測定した磁場均一度に基づき前記調整手段による調整量を求めるステップ、及び前記調整量に基づき前記調整手段を機能させるステップを含む磁気共鳴イメージング装置の磁場均一度調整方法。
【請求項３】
被検体の置かれる空間に均一な静磁場を発生する静磁場発生手段と、前記静磁場発生手段の均一度を調整する磁場調整手段と、前記空間内に配置され、前記空間に高周波磁場及び傾斜磁場をそれぞれ発生する磁場発生コイルと、前記空間に被検体を搬入・搬出する搬送手段とを備えた磁気共鳴イメージング装置において、
前記磁場調整手段は、前記搬送手段が前記空間に搬入された状態で取得された前記均一度情報に基づいて前記均一度を調整することを特徴とする磁気共鳴イメージング装置。
【請求項４】
請求項３記載の磁気共鳴イメージング装置において、
前記均一度情報は、前記磁場発生コイルを前記空間内から除去した状態で取得された第１の均一度情報と、前記磁場発生コイルを前記空間内に配置した状態で取得された第２の均一度情報を有することを特徴とする磁気共鳴イメージング装置。
【手続補正２】
【補正対象書類名】明細書
【補正対象項目名】００１１
【補正方法】変更
【補正の内容】
【００１１】
また、本発明のＭＲＩ装置の磁場均一度調整方法は、被検体の置かれる空間に均一な静磁場を発生する静磁場発生手段と、前記静磁場発生手段の均一度を調整する磁場調整手段と、前記空間内に配置され、前記空間に高周波磁場及び傾斜磁場をそれぞれ発生する磁場発生コイルと、前記空間に被検体を搬入・搬出する搬送手段とを備えたＭＲＩ装置の磁場の均一度を調整する方法であって、空間に前記磁場発生コイルを配置する前に前記搬送手段を磁気共鳴イメージング装置による検査時と同じ位置に設定するステップ、前記搬送手段を設定後、前記空間の磁場均一度を測定するステップ、測定した磁場均一度が所定の均一度以上のときに前記磁場発生コイルを前記空間内に配置するステップ、前記磁場発生コイルを配置した後に前記空間の磁場均一度を測定するステップ、測定した磁場均一度に基づき前記磁場調整手段による調整量を求めるステップ、及び前記調整量に基づき前記調整手段を機能させるステップを含むものである。
【手続補正３】
【補正対象書類名】明細書
【補正対象項目名】００１５
【補正方法】変更
【補正の内容】
【００１５】
本発明のＭＲＩ装置は、被検体の置かれる空間に均一な静磁場を発生する静磁場発生手段と、前記静磁場発生手段の均一度を調整する磁場調整手段と、前記空間内に配置され、前記空間に高周波磁場及び傾斜磁場をそれぞれ発生する磁場発生コイルと、前記空間に被検体を搬入・搬出する搬送手段とを備えた磁気共鳴イメージング装置において、前記磁場調整手段は、前記搬送手段が前記空間に搬入された状態で取得された前記均一度情報に基づいて前記均一度を調整するものである。さらに、前記均一度情報は、前記磁場発生コイルを前記空間内から除去した状態で取得された第１の均一度情報と、前記磁場発生コイルを前記空間内に配置した状態で取得された第２の均一度情報を有するものである。
このＭＲＩ装置は、磁場調整手段として、具体的には、複数の磁性片をそれぞれ着脱可能に固定する複数の磁性片固定部を備える。磁性片固定部は、静磁場方向に直交する所望の方向に取付けられたバーに設けることも可能である。
【手続補正書】
【提出日】平成17年6月20日(2005.6.20)
【手続補正１】
【補正対象書類名】明細書
【補正対象項目名】００４１
【補正方法】変更
【補正の内容】
【００４１】
下側分割体４７は、一対の側壁４７ａ，４７ａと底部４７ｂと背部４７ｃとを有している。側壁４７ａの上端部外側には、合わせ部４９が水平方向に向けて突設されている。左右一対ある合わせ部４９の先端には、収容ケース４５を装飾部材本体３２に対して着脱可能に固定する固定手段の一部である略台形状の被係合部５１が一体形成されている。これら被係合部５１は、ケース後方から前方に行くに従って細くなるテーパ状となっている。なお、図３に示されるように、装飾部材３１を構成する第２枠部材３５には、収容ケース４５が備える被係合部５１と係合可能な一対の係合部５２が形成されている。かかる被係合部５１と係合部５２とからなる固定手段の利点は、比較的簡単な構成で固定方法も簡易であり、大幅なコスト増も伴わずに済むことである。
【手続補正２】
【補正対象書類名】明細書
【補正対象項目名】００５６
【補正方法】変更
【補正の内容】
【００５６】
装飾部材本体３２から補助表示装置３３を取り外す場合には、図２ないし図３に示す前記一対の係合部５２を左右方向に押し広げて、係合部５２と収容ケース４５側の被係合部５１との係合を解除する。そして、この係合解除状態において収容ケース４５を装飾部材３１の後方へとスライド移動させ、補助表示装置３３をケース嵌入部９１から引き抜くようにする。このようにして補助表示装置３３を取り外した後、さらに収容ケース４５から演出用可動体４１を取り外す場合には以下のようにする。
【手続補正３】
【補正対象書類名】明細書
【補正対象項目名】００５９
【補正方法】変更
【補正の内容】
【００５９】
また、収容ケース４５に演出用可動体４１を組み付ける場合には、前述した取り外しのときと逆の過程を辿ればよい。即ち、第２回転軸受部樹脂絶縁層８２を上方向に弾性変形させておくとともに、このような状態を維持しつつ、演出用可動体４１の第２回転軸部７１を第２回転軸受部８２に支持させる。次に、演出用可動体４１を全体的に下方向（即ち第１回転軸受部８４の方向）に移動させ、第１回転軸部７２を第１回転軸受部８４に支持させれば、演出用可動体４１の組み付けが完了する。
【手続補正４】
【補正対象書類名】明細書
【補正対象項目名】００６５
【補正方法】変更
【補正の内容】
【００６５】
（４）本実施形態の装飾部材３１では、第１回転軸部７２の長さＬ１が第２回転軸部７１の長さＬ２に比べて短く形成されている。従って、第２回転支持部側の支持の解除に比べて、第１回転支持部側の支持の解除を容易に行うことができる。即ち、第１回転支持部側の支持を解除する際に必要な第１回転軸部７２及び第１回転軸受部８４の相対移動距離は、第２回転支持部側の支持を解除する際に必要な第２回転軸部７１及び第２回転軸受部８２の相対移動距離よりも短くて済むからである。よって、第１回転支持部側である下端のほうから先に演出用可動体４１を簡単に取り外すことができる。また、この構成によれば、前述した取り外しと逆の過程を辿ることにより、演出用可動体４１を収容ケース４５に容易に組み付けることができる。
【手続補正５】
【補正対象書類名】明細書
【補正対象項目名】００７１
【補正方法】変更
【補正の内容】
【００７１】
・上記実施形態では、装飾部材本体３２における補助表示装置３３の固定箇所を表示領域露出部３６の上方としていたが、例えば表示領域露出部３６の側方や下方に補助表示装置３３を固定するようにしてもよい。また、１つの装飾部材本体３２について複数の補助表示装置３３を固定する構成を採用することも可能である。
【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】
被検体内の診断部位を含む撮像範囲で得られた複数の断面における画像を表示する方法において、
前記複数の断面の内、任意の断面における表示画像上に、三次元ＲＯＩを設定するステップと、
前記複数の断面の内、前記任意の断面のほか、指定された断面における表示画像上に前記三次元ＲＯＩと交差する領域を表示するステップとを備えたことを特徴とする画像領域指定支援方法。
【請求項２】
前記複数の断面の中から前記三次元ＲＯＩと交差する断面を全て検索し、その検索された当該断面における画像を当該三次元ＲＯＩとの交差領域と共に表示するステップをさらに備える請求項１記載の画像領域指定支援方法。
【請求項３】
前記複数の断面は、それぞれ異なる方向の断面であることを特徴とする請求項１記載の画像領域指定支援方法。
【請求項４】
前記複数の断面は、それぞれ同一方向の異なる位置の断面であることを特徴とする請求項１記載の画像領域指定支援方法。
【請求項５】
被検体内の診断部位を含む撮像範囲で得られた複数の断面における画像を表示する方法において、
前記複数の断面の内、任意の断面における表示画像上に、三次元ＲＯＩを設定するステップと、
前記複数の断面の中から前記三次元ＲＯＩと交差する断面を全て検索し、その検索された当該断面における画像を前記三次元ＲＯＩとの交差領域と共に表示するステップとを備えることを特徴とする画像領域指定支援方法。
【請求項６】
被検体内の診断部位を含む撮像範囲で得られた複数の断面における画像を表示する処理手段を有する医用画像診断装置において、
前記処理手段は、
前記複数の断面の内、任意の断面における表示画像上に、三次元ＲＯＩを設定する手段と、
前記複数の断面の内、前記任意の断面のほか指定された断面における表示画像上で、前記三次元ＲＯＩと交差する領域を表示する手段とを備えたことを特徴とする医用画像診断装置。
【請求項７】
前記処理手段は、前記複数の断面の中から前記三次元ＲＯＩと交差する断面を全て検索し、その検索された当該断面における画像を前記三次元ＲＯＩとの交差領域と共に表示する手段をさらに備えた請求項６記載の医用画像診断装置。
【請求項８】
被検体内の診断部位を含む撮像範囲で得られた複数の断面における画像を表示する処理手段を有する医用画像診断装置において、
前記処理手段は、
前記複数の断面の内、任意の断面における画像上の目標とする画像領域に、三次元ＲＯＩを設定する手段と、
前記複数の断面の中から前記三次元ＲＯＩと交差する断面を全て検索し、その検索された当該断面における画像を前記三次元ＲＯＩとの交差領域と共に表示する手段とを備えることを特徴とする医用画像診断装置。
【請求項９】
前記複数の断面は、ＭＲＩ装置で得られた複数の撮像断面を含む請求項６から８のいずれか１項記載の医用画像診断装置。
【手続補正２】
【補正対象書類名】明細書
【補正対象項目名】００１１
【補正方法】変更
【補正の内容】
【００１１】
本発明に係る画像領域指定支援方法は、被検体内の診断部位を含む撮像範囲で得られた複数の断面における画像を表示する方法において、前記複数の断面の内、任意の断面における表示画像上に、三次元ＲＯＩを設定するステップと、前記複数の断面の内、前記任意の断面のほか、指定された断面における表示画像上に前記三次元ＲＯＩと交差する領域を表示するステップとを備えたことを特徴とする。
【手続補正３】
【補正対象書類名】明細書
【補正対象項目名】００１２
【補正方法】変更
【補正の内容】
【００１２】
本発明において、好適には、前記複数の断面の中から前記三次元ＲＯＩと交差する断面を全て検索し、その検索された当該断面における画像を当該三次元ＲＯＩとの交差領域と共に表示するステップをさらに備えており、また、前記複数の断面は、それぞれ異なる方向の断面であり、さらに、前記複数の断面は、それぞれ同一方向の異なる位置の断面である画像領域指定支援方法である。
【手続補正４】
【補正対象書類名】明細書
【補正対象項目名】００１３
【補正方法】変更
【補正の内容】
【００１３】
また、本発明に係る画像領域指定支援方法は、被検体内の診断部位を含む撮像範囲で得られた複数の断面における画像を表示する方法において、記複数の断面の内、任意の断面における表示画像上に、三次元ＲＯＩを設定するステップと、前記複数の断面の中から前記三次元ＲＯＩと交差する断面を全て検索し、その検索された当該断面における画像を前記三次元ＲＯＩとの交差領域と共に表示するステップとを備えることを特徴とする。
【手続補正５】
【補正対象書類名】明細書
【補正対象項目名】００１４
【補正方法】変更
【補正の内容】
【００１４】
さらに、本発明に係る医用画像診断装置は、被検体内の診断部位を含む撮像範囲で得られた複数の断面における画像を表示する処理手段を有する医用画像診断装置において、前記処理手段は、前記複数の断面の内、任意の断面における表示画像上に、三次元ＲＯＩを設定する手段と、前記複数の断面の内、前記任意の断面のほか指定された断面における表示画像上で、前記三次元ＲＯＩと交差する領域を表示する手段とを備えたことを特徴とする。
【手続補正６】
【補正対象書類名】明細書
【補正対象項目名】００１５
【補正方法】変更
【補正の内容】
【００１５】
本発明に係る医用画像診断装置は、好適には、前記処理手段は、前記複数の断面の中から前記三次元ＲＯＩと交差する断面を全て検索し、その検索された当該断面における画像を前記三次元ＲＯＩとの交差領域と共に表示する手段をさらに備えている。
【手続補正７】
【補正対象書類名】明細書
【補正対象項目名】００１６
【補正方法】変更
【補正の内容】
【００１６】
また、本発明に係る医用画像診断装置は、被検体内の診断部位を含む撮像範囲で得られた複数の断面における画像を表示する処理手段を有する医用画像診断装置において、前記処理手段は、前記複数の断面の内、任意の断面における画像上の目標とする画像領域に、三次元ＲＯＩを設定する手段と、前記複数の断面の中から前記三次元ＲＯＩと交差する断面を全て検索し、その検索された当該断面における画像を前記三次元ＲＯＩとの交差領域と共に表示する手段とを備えることを特徴とする。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
制御ボックスとなる筺体本体の開口部を蓋体にて閉鎖し、当該蓋体を上記筺体本体に対して封止させる筺体封止構造を採用した遊技機であって、
上記筺体本体と蓋体との一方には封止用の固定受け構造を形成するとともに、他方には押し操作にて上記固定受け構造に対して係合固定可能な金属製係合片を保持し、上記制御ボックスの仕様に応じて異なる着色がされた樹脂製操作子を備えたことを特徴とする遊技機。
【手続補正２】
【補正対象書類名】明細書
【補正対象項目名】０００７
【補正方法】変更
【補正の内容】
【０００７】
上記目的を達成するため、請求項１にかかる発明は、制御ボックスとなる筺体本体の開口部を蓋体にて閉鎖し、当該蓋体を上記筺体本体に対して封止させる筺体封止構造を採用した遊技機であって、
上記筺体本体と蓋体との一方には封止用の固定受け構造を形成するとともに、他方には押し操作にて上記固定受け構造に対して係合固定可能な金属製係合片を保持し、上記制御ボックスの仕様に応じて異なる着色がされた樹脂製操作子を備えた構成としてある。
【手続補正３】
【補正対象書類名】明細書
【補正対象項目名】０００８
【補正方法】変更
【補正の内容】
【０００８】
上記のように構成した請求項１にかかる発明においては、筺体本体の開口部を蓋体にて閉鎖し、当該蓋体を上記筺体本体に対して封止させるにあたり、上記筺体本体と蓋体との一方には固定受け構造を形成し、他方には樹脂製操作子を備えており、かかる樹脂製操作子を押し操作にて操作すると保持されている金属製係合片が上記固定受け構造に係合固定される。また、樹脂製操作子は、上記制御ボックスの仕様に応じて異なる着色とされるため、古い機種の制御ボックスを利用して不正を図ろうとしても着色の違いによって制御ボックスを交換したことが分かるようになる。
すなわち、樹脂製の操作子部分を押し操作するだけなので、工具などは必要としない。
【手続補正書】
【提出日】平成16年6月23日(2004.6.23)
【手続補正１】
【補正対象書類名】明細書
【補正対象項目名】０００５
【補正方法】変更
【補正の内容】
【０００５】
【発明が解決しようとする課題】
しかし、高クロム鋳鉄製ローラより寿命を延長するためには、優れた耐磨耗性を持つ硬化肉盛りワイヤを３０〜１００ｍｍ程度の厚みに厚肉盛りする必要がある。また、肉盛り断面は厚い部分と薄い部分が隣り合った不連続断面形状となり、セメント原料ミルローラのように硬化肉盛りワイヤを多量に肉盛りする場合、肉盛り量が約２〜３トンにも達するため、溶接肉盛りによる残留応力が莫大になり、母材金属ローラの段差部（不連続断面部）に応力が集中して、操業中の振動や高面圧荷重等が引きがねになって、母材金属に割れや破損が生じる危険性があった。
【手続補正書】
【提出日】平成17年8月12日(2005.8.12)
【手続補正１】
【補正対象書類名】明細書
【補正対象項目名】請求項１
【補正方法】変更
【補正の内容】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備え、該ダクトホースに電動工具を着脱可能な集塵機において、信号を送信するリモコン送信器と該リモコン送信器からの信号を受信し駆動装置を介して前記モータを起動・停止するリモコン受信器を設けることを特徴とする集塵機。
【手続補正書】
【提出日】平成17年8月12日(2005.8.12)
【手続補正１】
【補正対象書類名】明細書
【補正対象項目名】請求項１
【補正方法】変更
【補正の内容】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備えた集塵機において、前記タンク部に対して前記ヘッド部を所定の箇所に位置決めするため前記ヘッド部に前記クランプ装置を案内する突起部を設けることを特徴とする集塵機。
【手続補正２】
【補正対象書類名】明細書
【補正対象項目名】０００８
【補正方法】変更
【補正の内容】
【０００８】
【発明が解決しようとする課題】
上述したように従来の集塵機には、タンク部に対してヘッド部を所定の箇所に位置決めするための手段がなかったため、タンク部に設けたダクトホースの接続部とヘッド部に設けたスイッチ面とが同一直線上に位置しない場合が多々あり、ダクトホース接続側にいる作業者がオン／オフ操作を行う場合にダクトホースの接続部側にスイッチ面がなく、わざわざ集塵機本体の後方に回り込んでスイッチを操作しなければならず、スイッチ３のオン／オフに手間を要するため、操作性及び作業性の低下を招いてしまうという問題があった。
【手続補正３】
【補正対象書類名】明細書
【補正対象項目名】００１１
【補正方法】変更
【補正の内容】
【００１１】
【課題を解決するための手段】
上記目的は、駆動源であるモータと、モータによって回転される集塵ファンと、ファンを収容するヘッド部と、ヘッド部に設け且つ前記モータを制御するためのスイッチと、スイッチを有するヘッド部の下方に位置し且つ集塵ファンにより搬送される粉塵を収納するためのタンク部と、タンク部の接続部に取り付けられるダクトホースとを備えた集塵機において、タンク部に対してヘッド部を所定の箇所に位置決めするためヘッド部にクランプ装置を案内する突起部を設けることにより達成される。
【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備えた集塵機において、前記ヘッド部の下端一部に下方へ向く突出部を設け、該突出部に見合う凹部を前記接続部を有する前記タンク部に設けることを特徴とする集塵機。
【請求項２】
前記突起部は前記スイッチ面の下方に配置すると共に、前記凹部は前記接続部の上方に配置することを特徴とする請求項１記載の集塵機。
【請求項３】
前記突起部と前記凹部は同一直線上に位置することを特徴とする請求項１又は請求項２何れか記載の集塵機。
【請求項４】
前記突起部はＵ字形であることを特徴とする請求項１乃至請求項３何れか記載の集塵機。
【請求項５】
前記凹部は、前記Ｕ字形に対応するＵ字溝であることを特徴とする請求項１乃至請求項３何れか記載の集塵機。
【請求項６】
前記突起部は、Ｖ字形であることを特徴とする請求項１乃至請求項３何れか記載の集塵機。
【請求項７】
前記凹部は、前記Ｖ字形に対応するＶ字溝であることを特徴とする請求項１乃至請求項３何れか記載の集塵機。
【請求項８】
駆動源であるモータと、該モータによって回転される集塵ファンと、該ファンを収容するヘッド部と、該ヘッド部に設け且つ前記モータを制御するためのスイッチと、該スイッチを有する前記ヘッド部の下方に位置し且つ前記集塵ファンにより搬送される粉塵を収納するためのタンク部と、該タンク部の接続部に取り付けられるダクトホースとを備えた集塵機において、前記接続部を有する前記タンク部の上端一部に上方へ向く突出部を設け、該突出部に見合う凹部を前記ヘッド部の下端一部に設けることを特徴とする集塵機。
【請求項９】
前記突起部は前記接続部の上方に配置すると共に、前記凹部は前記スイッチ面の下方に配置することを特徴とする請求項８記載の集塵機。
【請求項１０】
前記突起部と前記凹部は同一直線上に位置することを特徴とする請求項８又は請求項９何れか記載の集塵機。
【請求項１１】
前記突起部はＵ字形であることを特徴とする請求項８乃至請求項１０何れか記載の集塵機。
【請求項１２】
前記凹部は、前記Ｕ字形に対応するＵ字溝であることを特徴とする請求項８乃至請求項１０何れか記載の集塵機。
【請求項１３】
前記突起部は、Ｖ字形であることを特徴とする請求項８乃至請求項１０何れか記載の集塵機。
【請求項１４】
前記凹部は、前記Ｖ字形に対応するＶ字溝であることを特徴とする請求項８乃至請求項１０何れか記載の集塵機。
【手続補正２】
【補正対象書類名】明細書
【補正対象項目名】０００９
【補正方法】変更
【補正の内容】
【０００９】
【課題を解決するための手段】
上記目的は、駆動源であるモータと、モータによって回転される集塵ファンと、ファンを収容するヘッド部と、ヘッド部に設け且つモータを制御するためのスイッチと、スイッチを有するヘッド部の下方に位置し且つ集塵ファンにより搬送される粉塵を収納するためのタンク部と、タンク部の接続部に取り付けられるダクトホースとを備えた集塵機において、ヘッド部の下端一部に下方へ向く突出部を設け、突出部に見合う凹部を接続部を有するタンク部に設けることにより達成される。
【手続補正３】
【補正対象書類名】明細書
【補正対象項目名】００１０
【補正方法】変更
【補正の内容】
【００１０】
また上記目的は、駆動源であるモータと、モータによって回転される集塵ファンと、ファンを収容するヘッド部と、ヘッド部に設け且つモータを制御するためのスイッチと、スイッチを有するヘッド部の下方に位置し且つ集塵ファンにより搬送される粉塵を収納するためのタンク部と、タンク部の接続部に取り付けられるダクトホースとを備えた集塵機において、接続部を有するタンク部の上端一部に上方へ向く突出部を設け、突出部に見合う凹部をヘッド部の下端一部に設けることにより達成される。
【手続補正４】
【補正対象書類名】明細書
【補正対象項目名】００１６
【補正方法】変更
【補正の内容】
【００１６】
【発明の効果】
本発明によれば、ヘッド部の下端一部に下方へ向く突出部を設け、突出部に見合う凹部を接続部を有するタンク部に設けることで、ダクトホースの接続部とスイッチ面とを合わせることができ、スイッチの操作性が良く、作業性の向上が図れる。また、ヘッド部における下端形状の変更とタンク部のダクトホース接続部材の形状変更のみであり追加部品は一切ないため、安価な構成で且つ確実に位置決めを行える集塵機を提供することができる。
【手続補正５】
【補正対象書類名】明細書
【補正対象項目名】００１７
【補正方法】変更
【補正の内容】
【００１７】
また、接続部を有するタンク部の上端一部に上方へ向く突出部を設け、突出部に見合う凹部をヘッド部の下端一部に設けることで、ダクトホースの接続部とスイッチ面とを合わせることができ、スイッチの操作性が良く、作業性の向上が図れる。また、ヘッド部における下端形状の変更とタンク部のダクトホース接続部材の形状変更のみであり追加部品は一切ないため、安価な構成で且つ確実に位置決めを行える集塵機を提供することができる。
【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
種々の図柄を変動表示する変動表示手段と、入賞役の抽選を実行する抽選手段と、前記変動表示を停止制御する停止制御手段と、前記抽選の結果を参照して、前記停止制御手段の制御種別を選択する停止制御選択手段と、前記変動表示手段の前方に設けられた、電子シャッターで構成される遮蔽手段と、該遮蔽手段を、前記停止制御選択手段の選択内容に応じて、遊技者が前記図柄を視認可能な状態と、視認不可能な状態に変更制御する遮蔽制御手段とを備え、該遮蔽制御手段は、遊技者の停止操作種別に応じて、前記制御種別に合致する停止操作が行われた場合に実行される第１遮蔽状態と、合致しない停止操作が行われた場合に実行される第２遮蔽状態とを切り替えて制御すること特徴とする遊技機。
【請求項２】
前記変動表示手段の前方に、演出画像を表示する演出表示部を備え、前記第２遮蔽状態が実行された後、所定の演出画像を前記演出表示部に表示する請求項１記載の遊技機。
【請求項３】
前記遮蔽手段は、液晶フィルムで構成される請求項１又は２記載の遊技機。
【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
種々の図柄を変動表示する変動表示手段と、入賞役の抽選を実行する抽選手段と、前記変動表示を停止制御する停止制御手段と、前記変動表示手段の前方に設けられた、電子シャッターで構成される遮蔽手段と、遊技者が前記図柄を視認可能な状態と、視認不可能な状態に変更制御する遮蔽制御手段とを備え、該遮蔽制御手段は、前記抽選で当選した入賞図柄が有効ライン上に停止した場合に、該入賞図柄以外の表示領域を遮蔽することを特徴とする遊技機。
【請求項２】
所定の条件に基づいて、遊技者に有利な特別遊技状態を発生させる特別遊技制御手段を備え、前記遮蔽制御手段は、前記特別遊技状態中に、前記遮蔽手段を作動させる請求項１記載の遊技機。
【請求項３】
前記遮蔽手段は、液晶フィルムで構成される請求項１又は２記載の遊技機。
【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
種々の図柄を変動表示する変動表示手段と、入賞役の抽選を実行する抽選手段と、前記変動表示を停止制御する停止制御手段と、前記変動表示手段の前方に設けられた遮蔽手段と、前記停止制御手段の作動に応じて、遊技者が前記図柄を視認可能な透過状態と、視認不可能な遮蔽状態に変更制御する、電子シャッターで構成される遮蔽制御手段とを備えた遊技機において、前記遮蔽制御手段は、前記変動表示が全て停止したことを条件に、前記遮蔽手段の少なくとも一部を遮蔽状態に変更制御することを特徴とする遊技機。
【請求項２】
前記遮蔽制御手段は、前記変動表示手段が変動表示中である場合には、パネル表示部の少なくとも一部を前記透過状態にて制御する請求項１記載の遊技機。
【請求項３】
前記遮蔽手段は、液晶フィルムで構成される請求項１又は２記載の遊技機。
【手続補正書】
【提出日】平成17年8月18日(2005.8.18)
【手続補正１】
【補正対象書類名】明細書
【補正対象項目名】特許請求の範囲
【補正方法】変更
【補正の内容】
【特許請求の範囲】
【請求項１】  第１部材と第２部材とを備え、前記第１部材と第２部材とにより形成される内部空間に制御基板を収納する収納ケースと、
前記第１部材と第２部材とを封印するための、前記第１部材と第２部材とにわたって貼り付けられた封印シールと、
を備え、
前記第１，第２部材は平面視で四角形状または略四角形状であり、
前記第１部材の内側面に前記第２部材の外側面が接するようにして前記第１，第２部材が嵌合し、
前記第１，第２部材は、前記第１部材での前記第２部材との嵌合側を見た平面視状態において、前記第２部材が嵌合された前記第１部材とその第２部材との境界線が見えるものであり、
前記封印シールは、前記第２部材が嵌合された前記第１部材を平面視した場合において、前記第２部材が嵌合された前記第１部材の隅部に、前記第１部材と第２部材との境界線を跨ぐようにして当該第１部材と第２部材とにわたって貼り付けられている
ことを特徴とする遊技機。
【請求項２】  請求項１に記載の遊技機において、
前記封印シールは、前記第１部材と第２部材とにわたって貼り付けられた状態で、前記第１，第２部材との境界線に沿うようにミシン目が形成されていることを特徴とする遊技機。
【請求項３】  請求項１または２に記載の遊技機において、
前記封印シールの所定部分を覆うように、前記収納ケースと一体化した被覆部
を備えていることを特徴とする遊技機。
【手続補正書】
【提出日】平成16年12月2日(2004.12.2)
【手続補正１】
【補正対象書類名】明細書
【補正対象項目名】発明の名称
【補正方法】変更
【補正の内容】
【発明の名称】画像処理方法及び画像処理装置
【手続補正２】
【補正対象書類名】明細書
【補正対象項目名】特許請求の範囲
【補正方法】変更
【補正の内容】
【特許請求の範囲】
【請求項１】
被写体に放射線を照射することにより得られた画像データから被写体の体位を判別する画像処理方法であって、
画像データから前記被写体の領域を抽出する第一の工程と、
該被写体領域の幅を複数抽出する第二の工程と、
該抽出した被写体の幅を比較することで被写体の上下を判別する第三の工程とを備えることを特徴とする画像処理方法。
【請求項２】
前記第三の工程において、被写体の幅が長い方が上であると判別することを特徴とする請求項１に記載の画像処理方法。
【請求項３】
前記第三の工程において、被写体幅間の差分値を積分し、該積分値の値に基づき被写体の上下を判別することを特徴とする請求項１に記載の画像処理方法。
【請求項４】
前記第三の工程において、少なくとも異なる２点の被写体幅を比較し、被写体の幅が長い方が上であると判別することを特徴とする請求項１に記載の画像処理方法。
【請求項５】
被写体に放射線を照射することにより得られた画像データから被写体の体位を判別する画像処理方法であって、
画像データから前記被写体の領域を抽出する第一の工程と、
該被写体領域を横切る線分上の画素値列を抽出する第二の工程と、
該画素値列の値から被写体の上下を判別する第三の工程とを備えることを特徴とする画像処理方法。
【請求項６】
前記第三の工程において、前記画素値列の少なくとも異なる２点の画素値を比較し、被写体の上下を判別することを特徴とする請求項５に記載の画像処理方法。
【請求項７】
前記第三の工程において、前記画素値列の少なくとも異なる２点の画素値を比較し、画素値が大きい方を被写体の上と判別することを特徴とする請求項５に記載の画像処理方法。
【請求項８】
前記第一の工程において、す抜け領域及びす抜け領域と一定幅で接する領域に基づき被写体領域を抽出することを特徴とする請求項１又は５に記載の画像処理方法。
【請求項９】
被写体に放射線を照射することにより得られた画像データから被写体の体位を判別する画像処理装置であって、
画像データから前記被写体の領域を抽出する第一の手段と、
該被写体領域の幅を複数抽出する第二の手段と、
該抽出した被写体の幅を比較することで被写体の上下を判別する第三の手段とを備えることを特徴とする画像処理装置。
【請求項１０】
被写体に放射線を照射することにより得られた画像データから被写体の体位を判別する画像処理装置であって、
画像データから前記被写体の領域を抽出する第一の手段と、
該被写体領域を横切る線分上の画素値列を抽出する第二の手段と、
該画素値列の値から被写体の上下を判別する第三の手段とを備えることを特徴とする画像処理装置。
【請求項１１】
Ｘ線発生手段と、該X線を前記画像データに変更するための２次元Ｘ線センサとを備えることを特徴とする請求項９又は１０に記載の画像処理装置。
【手続補正３】
【補正対象書類名】明細書
【補正対象項目名】０００１
【補正方法】変更
【補正の内容】
【０００１】
【発明の属する技術分野】
本発明は、被写体の体位を判別する画像処理方法及び画像処理装置に関し、特に被写体の輪郭情報から体位を判別する画像処理方法及び画像処理装置に関するものである。
【手続補正４】
【補正対象書類名】明細書
【補正対象項目名】０００９
【補正方法】変更
【補正の内容】
【０００９】
【課題を解決するための手段】
本発明の画像処理方法の第１の態様は、被写体に放射線を照射することにより得られた画像データから被写体の体位を判別する画像処理方法であって、画像データから前記被写体の領域を抽出する第一の工程と、該被写体領域の幅を複数抽出する第二の工程と、該抽出した被写体の幅を比較することで被写体の上下を判別する第三の工程とを備えることを特徴とする。
本発明の画像処理方法の第２の態様は、被写体に放射線を照射することにより得られた画像データから被写体の体位を判別する画像処理方法であって、画像データから前記被写体の領域を抽出する第一の工程と、該被写体領域を横切る線分上の画素値列を抽出する第二の工程と、該画素値列の値から被写体の上下を判別する第三の工程とを備えることを特徴とする。
本発明の画像処理装置の第１の態様は、被写体に放射線を照射することにより得られた画像データから被写体の体位を判別する画像処理装置であって、画像データから前記被写体の領域を抽出する第一の手段と、該被写体領域の幅を複数抽出する第二の手段と、該抽出した被写体の幅を比較することで被写体の上下を判別する第三の手段とを備えることを特徴とする。
本発明の画像処理装置の第２の態様は、被写体に放射線を照射することにより得られた画像データから被写体の体位を判別する画像処理装置であって、画像データから前記被写体の領域を抽出する第一の手段と、該被写体領域を横切る線分上の画素値列を抽出する第二の手段と、該画素値列の値から被写体の上下を判別する第三の手段とを備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００３４
【補正方法】変更
【補正の内容】
【００３４】
【発明の効果】
本発明によれば、被写体領域の幅を複数抽出し、抽出した被写体の幅を比較することで被写体の上下を判別することで撮影体位を正確に判別することが可能となる。
【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
メスアフリカツメガエルに性腺刺激ホルモンを2回注射し、該メスアフリカツメガエルから卵母細胞を摘出することを含む、卵母細胞の入手方法。
【請求項２】
1回目の注射から2回目の注射までの間隔が25日から35日であることを特徴とする、請求項1に記載の方法。
【請求項３】
2回目の注射から卵母細胞の摘出までの期間が1日から20日であることを特徴とする請求項1に記載の方法。
【請求項４】
2回目の注射から卵母細胞の摘出までの期間が5日から15日であることを特徴とする請求項１に記載の方法。
【請求項５】
2回目の注射から卵母細胞の摘出までの期間が7日から13日であることを特徴とする請求項１に記載の方法。
【手続補正書】
【提出日】平成17年8月2日(2005.8.2)
【手続補正１】
【補正対象書類名】明細書
【補正対象項目名】０００７
【補正方法】変更
【補正の内容】
【０００７】
【作用】
上記の構成により本発明の施肥・播種機は、以下の作用をする。
ａ．施肥・播種装置の前方に、機体の幅方向に延び、圃場の鎮圧と作溝を行う鎮圧・作溝ローラを設けることで、鎮圧作業と作溝作業を行った後に施肥・播種作業を行うことにより、播種深さが安定し、播種精度がよくなって発芽率が向上する。
ｂ．鎮圧・作溝ローラは、動力により強制駆動回転することで、播種しようとする耕耘土壌に対し精度よく鎮圧し、また、精度よく作溝することにより播種圃場の表面排水が良好となり、発芽率が向上し、生育環境を良好にする。
【手続補正２】
【補正対象書類名】明細書
【補正対象項目名】００２２
【補正方法】変更
【補正の内容】
【００２２】
【発明の効果】
以上説明したように本発明による施肥・播種機は、請求項１〜４に記載の構成を備えることにより、以下の作用効果を奏する。
(1)．施肥・播種装置の前方に、機体の幅方向に延び、圃場の鎮圧と作溝を行う鎮圧・作溝ローラを設けたので、鎮圧作業と作溝作業を行った後に施肥・播種作業を行うことにより、播種深さが安定し、播種精度がよくなって発芽率を向上させることができる。
(2)．鎮圧・作溝ローラは、動力により強制駆動回転するので、播種しようとする耕耘土壌に対し精度よく鎮圧し、また、精度よく作溝することにより播種圃場の表面排水が良好となり、発芽率が向上し、生育環境を良好に保持することができる。
【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  遊技機の枠の開閉に関する異常を報知する、遊技機の異常報知装置であって、
各遊技機には、当該遊技機の枠の開閉を検出する枠開閉検出手段と、当該遊技機の枠を電気的に施錠する電気的施錠手段が設けられており、
枠開閉検出手段は、当該枠開閉検出手段が設けられている遊技機の枠の開閉に関する信号を前記異常報知装置に出力し、
電気的施錠手段は、前記異常報知装置から出力される信号に基づいて、当該電気的施錠手段が設けられている遊技機の枠を施錠あるいは開錠することが可能であり、
各遊技機に設けられた枠開閉検出手段からの信号に基づいて、各遊技機の枠の開閉に関する情報と、当該遊技機における電気的施錠手段の施錠あるいは開錠に関する情報とを含む枠開閉情報を遊技機に対応させて記憶して蓄積してゆき、枠開閉情報に記憶されている各遊技機における枠の開閉に関する情報と電気的施錠手段の施錠あるいは開錠に関する情報との組み合わせ状態に基づいて警報を出力する、
ことを特徴とする遊技機の異常報知装置。
【請求項２】  遊技機の枠の開閉に関する異常を報知する、遊技機の異常報知装置であって、
各遊技機には、当該遊技機の枠の開閉を検出する枠開閉検出手段が設けられており、
枠開閉検出手段は、当該枠開閉検出手段が設けられている遊技機の枠の開閉に関する信号を前記異常報知装置に出力し、
各遊技機に設けられた枠開閉検出手段からの信号に基づいて、各遊技機の枠の開閉に関する情報と、当該枠の開閉に関する情報の発生時刻に関する情報とを含む枠開閉情報を遊技機に対応させて記憶して蓄積してゆき、枠開閉情報に記憶されている各遊技機における枠の開閉に関する情報の発生時刻に関する情報から求めた、枠の開状態を示す時間に基づいて警報を出力する、
ことを特徴とする遊技機の異常報知装置。
【請求項３】  請求項２に記載の遊技機の異常報知装置であって、
枠開閉情報内の遊技機に対応させて記憶されている枠の開閉に関する情報の発生時刻に関する情報から枠の開状態を示す時間を求め、当該枠の開状態を示す時間の長い順または短い順に、表示あるいは記憶する、
ことを特徴とする遊技機の異常報知装置。
【請求項４】  請求項１〜３のいずれかに記載の遊技機の異常報知装置であって、
枠開閉情報を記憶する際、開閉を行った者に関する情報を、対応する遊技機の枠開閉情報に追加して記憶する、
ことを特徴とする遊技機の異常報知装置。
【手続補正２】
【補正対象書類名】明細書
【補正対象項目名】０００５
【補正方法】変更
【補正の内容】
【０００５】
また、本発明の第２発明は、請求項２に記載されたとおりの遊技機の異常報知装置である。
請求項２に記載の遊技機の異常報知装置を用いれば、遊技機の枠の開閉に関する情報と、当該枠の開閉に関する情報の発生時刻に関する情報とを枠開閉情報に記憶して蓄積してゆき、例えば、枠の開状態を示す時間（開状態の継続時間等）が、所定時間以上である場合に、警報を出力することができる。
このため、例えば、メンテナンス等にかかる時間が所定時間未満となり、不正に枠を開放する時間が所定時間以上となるように、所定時間を適切に設定することで、遊技機の枠が開放状態である場合に、その原因が不正であるか否かを適切に判断することができる。
【手続補正３】
【補正対象書類名】明細書
【補正対象項目名】０００７
【補正方法】変更
【補正の内容】
【０００７】
また、本発明の第４発明は、請求項４に記載されたとおりの遊技機の異常報知装置である。
請求項４に記載の遊技機の異常報知装置では、枠開閉情報を記憶する際、開閉を行った者に関する情報を、対応する遊技機の枠開閉情報に追加して記憶する。例えば、開閉を行った者に関する情報として係員の識別情報等を記憶させておけば、管理者等は、どのような対処を行ったのか迅速に係員に確認することができ、便利である。
【手続補正４】
【補正対象書類名】明細書
【補正対象項目名】００２２
【補正方法】変更
【補正の内容】
【００２２】
また、警報を出力する条件設定における他の例として、枠の開状態を示す時間に基づいて警報を出力することもできる。
例えば、「開放時間」が所定時間以上である場合に警報を出力する。例えば、通常のメンテナンス作業が１〜２分程度で終了する場合、所定時間を５分に設定すれば、図３（Ａ）に示す１２ｃ（この例では８分）が異常と判定され、警報が出力される。この場合、「開放時間」は、枠が開状態になった時点から閉状態になった時点までの時間であってもよいし、枠が開状態になった時点から、開状態を継続している時間であってもよい。また、不正の種類によって時間が長い場合もあれば、短い場合もあるので、「開放時間」が所定時間未満である場合に警報を出力するようにしてもよい。
なお、図３（Ｂ）に示す枠開閉情報１２ａは、図３（Ａ）に示す枠開閉情報１２ａの、他の実施例を示している。図３（Ｂ）に示す枠開閉情報１２ａには「依頼者」が追加されている。例えば「依頼者」には管理装置１０を操作して電気的施錠手段を変更した係員の係員識別情報が記憶される（この場合、管理装置１０は、電気的施錠手段を操作される時、係員識別情報の入力を強制する）。
また、枠開閉情報１２ａを、「開放時間」の長い順または短い順に記憶あるいは表示すれば、不正である可能性が高い順に記憶あるいは表示することができる。この場合、不正の確認作業を行う優先順位が明確になるので、係員等が迅速に対処することができる。また、「開放時間」の長い順または短い順に記憶あるいは表示する場合、電気的施錠手段が「施錠」状態であるものを表示あるいは記憶して、電気的施錠手段が「開錠」状態のものを表示あるいは記憶しないようにすれば、明らかに不正でないものを排除できるので、より明確になる。
図３（Ａ）および図３（Ｂ）に記載した枠開閉情報１２ａの記憶情報から明らかなように、各遊技機について枠の状態が変化（枠の開閉や電気的施錠の施錠／開錠）するごとに１行分の情報が記憶されて蓄積されている。
【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
略水平方向へ伸びるフレームの端部に支持された駆動ローラと従動ローラとの間に、合成樹脂製の網で作られたコンベアベルトを巻回し、そのコンベアベルトの駆動ローラ下方にコンベアベルトの下面へ接触可能に構成したブラシ車を設けた煮干コンベアにおいて、前記ブラシ車を放射方向へ伸びる複数の板材からなる送風部で構成してなる目詰まり防止装置。
【請求項２】
請求項１において、前記ブラシ車の側方にコンベアベルトの下部側方を覆う案内板を設置してなる目詰まり防止装置。
【手続補正２】
【補正対象書類名】明細書
【補正対象項目名】０００５
【補正方法】変更
【補正の内容】
【０００５】
【課題を解決するための手段】
上記した課題は、略水平方向へ伸びるフレームの端部に支持された駆動ローラと従動ローラとの間に、合成樹脂製の網で作られたコンベアベルトを巻回し、そのコンベアベルトの駆動ローラ下方にコンベアベルトの下面へ接触可能に構成したブラシ車を設けた煮干コンベアにおいて、前記ブラシ車を放射方向へ伸びる比較的剛性の高い複数の板材からなる送風部で構成することによって解決される。
そこでは、前記ブラシ車の側方にコンベアベルトの下部側方を覆う案内板を設置するのが好ましい。
【手続補正３】
【補正対象書類名】明細書
【補正対象項目名】０００６
【補正方法】変更
【補正の内容】
【０００６】
【作用】
ブラシ車が回転すると、放射方向に配置された複数の板材からなる送風部によって、比較的速度の緩い多量の風がコンベアベルトに向けて送られる。これにより、コンベアベルトの網の目に軽く引っ掛かった程度のシラス魚が下方へ吹き落される。コンベアベルトの網の目に強く付着したシラス魚は送風部の先端によって下方へ掻き出され、送風部から送られる風によって吹き落される。
【手続補正４】
【補正対象書類名】明細書
【補正対象項目名】００１１
【補正方法】変更
【補正の内容】
【００１１】
この実施例では前記板材２５の先端には刷毛部２８が設けられている。刷毛部２８は板材２５をなす合成樹脂製の網の先端部の外周へ向けて突出している素線によって構成されている。前記板材２５をなす網は縦糸と横糸との接点を互いに溶着して強固な網目が形成されているので、刷毛部２８は板材２５の外端部を最外端の横糸（軸方向の線）を外して周方向へ突出する素線とし、長さを網の２目（数ミリメートル）程度突出させたものである。なお、上記板材２５を合成樹脂製の網で構成したが、板材２５の材料はこれに限るものではなく、網目のない板材でもよい。また、材質も合成樹脂で作られたものに限定されず、ステンレスや銅合金のような錆び難い材質で作られたものも包含するものである。
【手続補正５】
【補正対象書類名】明細書
【補正対象項目名】００１５
【補正方法】変更
【補正の内容】
【００１５】
また、上記のような風力だけで分離できなかったシラス魚ｆは、図５で示すように、板材２５の先端をなす刷毛部２８がコンベアベルト１６の下面に接触する際に外側へ掻き出すので、前記した送風によって確実に下方へ落下させられる。
【手続補正６】
【補正対象書類名】明細書
【補正対象項目名】００１６
【補正方法】変更
【補正の内容】
【００１６】
【発明の効果】
請求項１の発明によれば、網状をしたコンベアベルト１６に引っ掛かったシラス魚ｆは、板材からなる送風部２６から緩速で多量に送られる風によって剥離されることと、網の目に強く嵌ったシラス魚は送風部２６の先端によって外された後に前記風によって剥離されることとから、コンベアベルトに付着したシラス魚が魚体を崩壊させることなく容易に分離できる。
請求項２の発明によれば、ブラシ車を支持するために設けられた案内板がブラシ車の側面を覆って導風板として作用するから、格別の構造を設ける必要がなく、簡単な構造で多量の風を効率よくコンベアベルトへ送ることができる。
などの効果がある。
【手続補正７】
【補正対象書類名】図面
【補正対象項目名】図５
【補正方法】変更
【補正の内容】
【図５】
2004073300.tif 000001